(57)【特許請求の範囲】
【請求項１】
目盛盤（１０ａ）の目盛り部（１１）を指針（４０）の回動により指示する車両用指針計器であって、
前記目盛盤（１０ａ）の裏面側に配置された影用光源（９０）と、
前記指針（４０）の回動とともに回動し、前記影用光源（９０）にて発せられた光を前記目盛盤（１０ａ）の裏面に沿って反射する回動反射面（４６ｂ）と、
前記回動反射面（４６ｂ）にて反射された光を前記目盛盤（１０ａ）の裏面側から表面側に向けて反射して、前記指針（４０）の影を表示する固定反射面（７２）とを備え、
前記回動反射面を反射鏡（４６ｂ）により構成し、
前記反射鏡（４６ｂ）を、前記指針（４０）の回動方向に反射率が徐変するように形成したことを特徴とする車両用指針計器。
【請求項２】
前記反射鏡（４６ｂ）は、前記指針（４０）に近づくほど反射率が高くなるように形成されていることを特徴とする請求項１に記載の車両用指針計器。
【請求項３】
前記反射鏡（４６ｂ）には暗色系のドットが施されており、
前記ドットが施される面積を徐変させることにより、前記反射率の徐変を形成したことを特徴とする請求項１または２に記載の車両用指針計器。
【請求項４】
前記影用光源（９０）に、前記指針（４０）を照明する光源を兼ねさせることを特徴とする請求項１ないし３のいずれか１つに記載の車両用指針計器。
【請求項５】
指針用光源（１００）と、
前記指針（４０）の回動とともに回動し、前記指針用光源（１００）から発せられた光を前記指針（４０）の長手方向に導く指針用回動導光部材（４３）とを備えることを特徴とする請求項１ないし３のいずれか１つに記載の車両用指針計器。
【請求項６】
前記指針（４０）は前記目盛盤（１０ａ）の表面側に配置されており、
前記指針用光源（１００）は前記目盛盤（１０ａ）の裏面側に配置され、
前記影用光源（９０）を、前記指針用光源（１００）に対して前記指針（４０）の回動径方向の外側に配置したことを特徴とする請求項５に記載の車両用指針計器。
【請求項７】
目盛り部（１１）を有する目盛盤（１０ａ）と、
前記目盛盤（１０ａ）の表面側にて回動して前記目盛り部（１１）を指示する指針（４０）と、
前記目盛盤（１０ａ）の裏面側に配置された影用光源（９０）と、
前記指針（４０）の回動とともに回動し、前記影用光源（９０）にて発せられた光を前記目盛盤（１０ａ）の裏面に沿って反射する回動反射面（４６ｂ）と、
前記回動反射面（４６ｂ）にて反射された光を前記目盛盤（１０ａ）の裏面側から表面側に向けて反射して、前記指針（４０）の影を表示する固定反射面（７２）と、
前記目盛盤（１０ａ）の裏面側に配置された指針用光源（１００）と、
前記指針（４０）の回動とともに回動し、前記指針用光源（１００）から発せられた光を前記指針（４０）の長手方向に導く指針用回動導光部材（４３）とを備え、
前記影用光源（９０）を、前記指針用光源（１００）に対して前記指針（４０）の回動径方向の外側に配置したことを特徴とする車両用指針計器。
【請求項８】
前記影用光源（９０）の発光色と、前記指針用光源（１００）の発光色とを異なる色にしたことを特徴とする請求項５ないし７のいずれか１つに記載の車両用指針計器。
【請求項９】
前記指針用光源（１００）を、前記指針（４０）の回動方向に複数並べて配置したことを特徴とする請求項５ないし８のいずれか１つに記載の車両用指針計器。
【請求項１０】
前記影用光源（９０）から前記回動反射面（４６ｂ）までの光路と、前記指針用光源（１００）から前記指針用回動導光部材（４３）までの光路との間に、遮光部材（１１０）を設けることを特徴とする請求項５ないし９のいずれか１つに記載の車両用指針計器。
【請求項１１】
前記影用光源（９０）から前記回動反射面（４６ｂ）に向けて光を導く影用第１導光部材（６０）と、
前記指針用光源（１００）から前記指針用回動導光部材（４３）に向けて光を導く指針用固定導光部材（５０）とを備え、
前記遮光部材（１１０）を、前記影用第１導光部材（６０）と前記指針用固定導光部材（５０）との間に設けたことを特徴とする請求項１０に記載の車両用指針計器。
【請求項１２】
前記影用光源（９０）から前記回動反射面（４６ｂ）に向けて光を導く影用第１導光部材（６０）を備えることを特徴とする請求項１ないし１０のいずれか１つに記載の車両用指針計器。
【請求項１３】
前記影用光源（９０）を、前記指針（４０）の回動方向に複数並べて配置したことを特徴とする請求項１ないし９のいずれか１つに記載の車両用指針計器。
【請求項１４】
前記回動反射面（４６ｂ）を、前記指針（４０）の回動方向のうち前記指針（４０）に対していずれか一方の側に配置したことを特徴とする請求項１ないし１３のいずれか１つに記載の車両用指針計器。
【請求項１５】
前記目盛り部（１１）は車速を表す目盛りであり、
前記回動反射面（４６ｂ）を、前記回動方向のうち前記指針（４０）に対して低速度側に配置したことを特徴とする請求項１４に記載の車両用指針計器。
【請求項１６】
前記目盛り部（１１）はエンジン回転数を表す目盛りであり、
前記回動反射面（４６ｂ）を、前記回動方向のうち前記指針（４０）に対して低回転数側に配置したことを特徴とする請求項１４に記載の車両用指針計器。
【請求項１７】
前記指針（４０）を駆動させる回動内機（３０）を備え、
前記指針（４０）には、前記回動内機（３０）の指針軸（３１）が圧入されるボス部（４５、４６）が設けられており、
前記ボス部（４５、４６）に前記回動反射面（４６ｂ）を設けたことを特徴とする請求項１ないし１６のいずれか１つに記載の車両用指針計器。
【請求項１８】
前記目盛盤（１０ａ）の裏面側には、前記回動反射面（４６ｂ）にて反射された光を前記固定反射面（７２）まで導く影用第２導光部材（７０）が備えられ、
前記固定反射面（７２）は前記影用第２導光部材（７０）に設けられていることを特徴とする請求項１ないし１７のいずれか１つに記載の車両用指針計器。
【請求項１９】
前記目盛盤（１０ａ）を保持するケース（８０）が備えられ、
前記固定反射面（７２）は前記ケース（８０）に設けられていることを特徴とする請求項１ないし１７のいずれか１つに記載の車両用指針計器。
【請求項２０】
前記固定反射面（７２）をフレネル形状に形成したことを特徴とする請求項１ないし１９のいずれか１つに記載の車両用指針計器。
【請求項２１】
前記目盛盤（１０ａ）には、前記固定反射面（７２）により反射された光が透過する透過部（１０ｄ）が形成されており、
前記透過部（１０ｄ）を前記指針の回動方向に延びる帯状に形成したことを特徴とする請求項１ないし２０のいずれか１つに記載の車両用指針計器。
【請求項２２】
前記目盛盤（１０ａ）に、前記固定反射面（７２）からの光の透過を遮るスモーク印刷部（１０ｂ）と、前記固定反射面（７２）からの光を透過させる透過部（１０ｄ）とを設けたことを特徴とする請求項１ないし２１のいずれか１つに記載の車両用指針計器。
【請求項２３】
前記目盛盤（１０ａ）を表面側から覆う、スモーク材からなるカバーを設けたことを特徴とする請求項２２に記載の車両用指針計器。
【発明の詳細な説明】
【０００１】
【発明の属する技術分野】
本発明は、目盛盤の目盛り部を指針の回動により指示するとともに、前記指針の影を表示可能にした車両用指針計器に関するものである。
【０００２】
【従来の技術】
従来より、指針の影を表示可能にした車両用指針計器が知られている（例えば、特許文献１参照）。また、本発明者は、先に、特願２００２−３７１２８号の特許出願において、この種の車両用指針計器を提案している。
【０００３】
この先願の指針計器では図５に示すように、目盛盤１０ａの裏面側に影用光源９０および指針用光源１００を備えており、指針用光源１００は、影用光源９０に対して指針４０の回動径方向の外側に配置されている。
【０００４】
また、指針４０の回動とともに回動する影用回動導光部材６００が指針４０に備えられている。当該影用回動導光部材６００には、影用光源９０からの光を目盛盤１０ａの裏面に沿って反射する回動反射面４６ｂが設けられており、回動反射面４６ｂにて反射された光を目盛盤１０ａの裏面側に設けられた固定反射面７２により目盛盤１０ａの表面側に向けて反射して、指針４０の影を表示するようになっている。
【０００５】
また、影用回動導光部材６００に対して指針４０の回動径方向の外側には指針用固定導光部材５０が備えられ、指針４０の内部には指針４０の長手方向に延びる指針用回動導光部材４３が備えられている。そして、指針用光源１００からの光を指針用固定導光部材５０により指針用回動導光部材４３に導き、指針用回動導光部材４３を照明するようになっている。
【０００６】
【特許文献１】
特開平１１−２０５０７号公報
【０００７】
【発明が解決しようとする課題】
ここで、指針の回動方向に影の明るさを変化させて当該影をグラデーション状に表示させようとした場合に、上記先願の指針計器では、回動反射面４６ｂを導光部材６００に設けているため、回動反射面４６ｂにしぼ加工を施すことにより、光を拡散させる度合を変化させてグラデーション状に表示させることが考えられる。しかしながら、上記しぼ加工によるグラデーション表示では、光を拡散させる表示であるため、グラデーションのうち明るい部分と暗い部分との明暗差を大きくつけることが困難となり、明暗差の不鮮明なグラデーション表示になってしまうといった問題が生じる。
【０００８】
また、指針用光源１００から指針用回動導光部材４３に至るまでの光路Ｃ１は目盛盤１０ａの裏面側から表面側に貫通した経路を有し、影用光源９０から固定反射面７２に至るまでの光路Ｃ２は目盛盤１０ａの裏面側に沿う経路を有する。そして、上記先願の指針計器では、指針用光源１００を影用光源９０に対して指針４０の回動径方向の外側に配置しているので、上記両光路Ｃ１、Ｃ２は交差してしまうこととなり、指針用光源１００からの光と影用光源９０からの光とが互いに干渉し合うといった問題が生じる。
【０００９】
本発明は、上記点に鑑み、指針の影を表示可能にした車両用指針計器において、鮮明な明暗差のグラデーションで指針の影を表示できるようにすることを第１の目的とし、指針用光源からの光と影用光源からの光との干渉を抑制することを第２の目的とする。
【００１０】
【課題を解決するための手段】
上記第１の目的を達成するため、請求項１に記載の発明では、目盛盤（１０ａ）の目盛り部（１１）を指針（４０）の回動により指示する車両用指針計器であって、目盛盤（１０ａ）の裏面側に配置された影用光源（９０）と、指針（４０）の回動とともに回動し、影用光源（９０）にて発せられた光を目盛盤（１０ａ）の裏面に沿って反射する回動反射面（４６ｂ）と、回動反射面（４６ｂ）にて反射された光を目盛盤（１０ａ）の裏面側から表面側に向けて反射して、指針（４０）の影を表示する固定反射面（７２）とを備え、回動反射面（４６ｂ）を反射鏡（４６ｂ）により構成し、反射鏡（４６ｂ）を、指針（４０）の回動方向に反射率が徐変するように形成したことを特徴とする。
【００１１】
これによれば、指針（４０）の影をグラデーション状に表示させることを、反射鏡（４６ｂ）の反射率を徐変させることにより実現させるので、光を拡散させる度合を変化させてグラデーション状に表示させる指針計器に比べて、グラデーションの明暗差を大きくでき、鮮明な明暗差のグラデーションで指針（４０）の影を表示できる。
【００１２】
なお、請求項２に記載の発明のように、反射鏡（４６ｂ）を、指針（４０）に近づくほど反射率が高くなるように形成して好適である。
【００１３】
また、請求項３に記載の発明のように、反射鏡（４６ｂ）には暗色系のドットが施されており、ドットが施される面積を徐変させることにより、反射率の徐変を形成すれば、反射鏡（４６ｂ）を、指針（４０）の回動方向に反射率が徐変するように形成することを容易にできる。
【００１４】
また、請求項４に記載の発明のように、影用光源（９０）に、指針（４０）を照明する光源を兼ねさせるようにすれば、光源の部品点数を削減できる。
【００１５】
また、請求項５に記載の発明のように、指針用光源（１００）と、指針（４０）の回動とともに回動し、指針用光源（１００）から発せられた光を指針（４０）の長手方向に導く指針用回動導光部材（４３）とを備えるようにしてもよい。
【００１６】
また、上記第２の目的を達成するため、請求項６に記載の発明では、指針（４０）は目盛盤（１０ａ）の表面側に配置されており、指針用光源（１００）は目盛盤（１０ａ）の裏面側に配置され、影用光源（９０）を、指針用光源（１００）に対して指針（４０）の回動径方向の外側に配置したことを特徴とする。
【００１７】
また、上記第２の目的を達成するため、請求項７に記載の発明では、目盛り部（１１）を有する目盛盤（１０ａ）と、目盛盤（１０ａ）の表面側にて回動して目盛り部（１１）を指示する指針（４０）と、目盛盤（１０ａ）の裏面側に配置された影用光源（９０）と、指針（４０）の回動とともに回動し、影用光源（９０）にて発せられた光を目盛盤（１０ａ）の裏面に沿って反射する回動反射面（４６ｂ）と、回動反射面（４６ｂ）にて反射された光を目盛盤（１０ａ）の裏面側から表面側に向けて反射して、指針（４０）の影を表示する固定反射面（７２）と、目盛盤（１０ａ）の裏面側に配置された指針用光源（１００）と、指針（４０）の回動とともに回動し、指針用光源（１００）から発せられた光を指針（４０）の長手方向に導く指針用回動導光部材（４３）とを備え、影用光源（９０）を、指針用光源（１００）に対して指針（４０）の回動径方向の外側に配置したことを特徴とする。
【００１８】
これらの請求項６または７に記載の発明によれば、指針用光源（１００）に対して指針（４０）の回動径方向の外側に影用光源（９０）を配置しているので、目盛盤（１０ａ）の裏面側に沿う経路を有し、影用光源（９０）から固定反射面（７２）に至るまでの光路と、目盛盤（１０ａ）の裏面側から表面側に貫通した経路を有し、指針用光源（１００）から指針用回動導光部材（４３）に至るまでの光路とが交差してしまうことなく、前記両光路を構成できる。よって、指針用光源（１００）からの光と影用光源（９０）からの光とが互いに干渉してしまうことを抑制できる。
【００１９】
なお、請求項８に記載の発明では、影用光源（９０）の発光色と、指針用光源（１００）の発光色とを異なる色にしたことを特徴とするので、車両用指針計器の表示を斬新な見栄えの表示にできる。
【００２０】
請求項９に記載の発明では、指針用光源（１００）を、指針（４０）の回動方向に複数並べて配置したことを特徴とするので、指針（４０）の表示輝度が指針（４０）の回動位置に応じて変化してしまうことを抑制できる。
【００２１】
請求項１０に記載の発明では、影用光源（９０）から回動反射面（４６ｂ）までの光路と、指針用光源（１００）から指針用回動導光部材（４３）までの光路との間に、遮光部材（１１０）を設けることを特徴とするので、指針用光源（１００）からの光と影用光源（９０）からの光との干渉をより一層抑制できる。
【００２２】
請求項１１に記載の発明では、影用光源（９０）から回動反射面（４６ｂ）に向けて光を導く影用第１導光部材（６０）と、指針用光源（１００）から指針用回動導光部材（４３）に向けて光を導く指針用固定導光部材（５０）とを備え、遮光部材（１１０）を、影用第１導光部材（６０）と指針用固定導光部材（５０）との間に設けたことを特徴とする。
【００２３】
これにより、影用第１導光部材（６０）および指針用固定導光部材（５０）のうち一方の導光部材から漏れ出た光が他方の導光部材に入射してしまうことを抑制できるので、指針用光源（１００）からの光と影用光源（９０）からの光との干渉をより一層抑制できる。
【００２４】
請求項１２に記載の発明では、影用光源（９０）から回動反射面（４６ｂ）に向けて光を導く影用第１導光部材（６０）を備えることを特徴とするので、影用光源（９０）から回動反射面（４６ｂ）に入射されずに散乱してしまう光を減少できる。
【００２５】
請求項１３に記載の発明では、影用光源（９０）を、指針（４０）の回動方向に複数並べて配置したことを特徴とするので、指針（４０）の影の表示輝度が指針（４０）の回動位置に応じて変化してしまうことを抑制できる。
【００２６】
また、請求項１４に記載の発明のように、回動反射面（４６ｂ）を、指針（４０）の回動方向のうち指針（４０）に対していずれか一方の側に配置すれば、指針（４０）の影を指針（４０）から延びるように表示させることができ、車両用指針計器の表示を斬新な見栄えの表示にできる。
【００２７】
なお、請求項１５に記載の発明のように、目盛り部（１１）は車速を表す目盛りであり、回動反射面（４６ｂ）を、回動方向のうち指針（４０）に対して低速度側に配置して好適である。また、請求項１６に記載の発明のように、目盛り部（１１）はエンジン回転数を表す目盛りであり、回動反射面（４６ｂ）を、回動方向のうち指針（４０）に対して低回転数側に配置して好適である。
【００２８】
請求項１７に記載の発明では、指針（４０）を駆動させる回動内機（３０）を備え、指針（４０）には、回動内機（３０）の指針軸（３１）が圧入されるボス部（４５、４６）が設けられており、ボス部（４５、４６）に回動反射面（４６ｂ）を設けたことを特徴とするので、回動反射面（４６ｂ）を設ける専用の部材をボス部（４５、４６）とは別に備えた場合に比べて、部品点数を少なくできる。
【００２９】
また、請求項１８に記載の発明のように、目盛盤（１０ａ）の裏面側には、回動反射面（４６ｂ）にて反射された光を固定反射面（７２）まで導く影用第２導光部材（７０）が備えられ、固定反射面（７２）を影用第２導光部材（７０）に設けるようにしてもよいし、請求項１９に記載の発明のように、目盛盤（１０ａ）を保持するケース（８０）が備えられ、固定反射面（７２）をケース（８０）に設けるようにしてもよい。
【００３０】
また、請求項２０に記載の発明では、固定反射面（７２）をフレネル形状に形成したことを特徴としているので、運転者の視線に向けて反射するようにフレネル形状を形成すれば、指針（４０）の影の表示を鮮明にできる。
【００３１】
請求項２１に記載の発明では、目盛盤（１０ａ）には、固定反射面（７２）により反射された光が透過する透過部（１０ｄ）が形成されており、透過部（１０ｄ）を指針の回動方向に延びる帯状に形成したことを特徴とするので、指針（４０）の影の表示を帯状にでき、車両用指針計器の表示を斬新な見栄えの表示にできる。
【００３２】
また、請求項２２に記載の発明のように、目盛盤（１０ａ）に、固定反射面（７２）からの光の透過を遮るスモーク印刷部（１０ｂ）と、固定反射面（７２）からの光を透過させる透過部（１０ｄ）とを設けることにより指針（４０）の影を表示させるようにして好適である。
【００３３】
また、請求項２３に記載の発明では、目盛盤（１０ａ）を表面側から覆う、スモーク材からなるカバーを設けたことを特徴とするので、スモーク印刷部（１０ｂ）と透過部（１０ｄ）との境界線をカバーで目隠しすることができ、前記境界線が運転者に視認されてしまうことによって車両用指針計器の見栄えが損なわれてしまうことを抑制できる。
【００３４】
なお、上記各手段の括弧内の符号は、後述する実施形態に記載の具体的手段との対応関係を示す一例である。
【００３５】
【発明の実施の形態】
以下、本発明の一実施形態を図に基づいて説明する。
【００３６】
図１は、本実施形態に係る車両用指針計器を示しており、この指針計器は、タコメータとして、当該乗用車の車室内に設けたインストルメントパネルに配設されている。
【００３７】
当該指針計器は、図１にて示すごとく、計器板１０、配線板２０、回動内機３０、発光指針４０、導光部材５０、６０、７０、導光部材保持ケース８０、複数の影用光源９０および複数の指針用光源１００等の部品を備えている。これらの部品１０〜１００は、図示しない環状の見返し板および断面コ字状ケーシングとで構成するハウジング内に組み付けられている。
【００３８】
計器板１０および導光部材保持ケース８０は、その外周部にて、上記見返し板の底壁とケーシングの先端開口部との間に挟持されている。そして、計器板１０は、図２にて示すごとく、目盛盤１０ａを有しており、この目盛盤１０ａは、上記見返し板の底壁の開口部を通りその表面側に向け露呈している。
【００３９】
そして、当該目盛盤１０ａは、円弧状目盛り部１１を備えており、この目盛り部１１は、最小目盛りから最大目盛りにかけて目盛盤１０ａの外周部に沿い円弧状に形成されている。なお、目盛り部１１は、複数の目盛り及び複数の目盛り値により、当該車両のエンジンの回転数を目盛って形成されている。
【００４０】
そして、目盛盤１０ａの表面のうち目盛り部１１の各目盛り及び各目盛り値を除く部分は、暗色によるスモーク印刷が施されてスモーク印刷部１０ｂを構成している。なお、本発明の実施にあたり、目盛盤１０ａの裏面に暗色の印刷を施すようにしてもよい。そして、上記各目盛り及び各目盛り値は光が透過する透過部１０ｃを構成している。
【００４１】
さらに、目盛盤１０ａのうち後述の影用第２導光部材７０に対応する部分は、光が透過する透過部１０ｄを構成しており、当該透過部１０ｄは、目盛り部１１の円弧の内側に沿う略扇形状に形成されている。
【００４２】
配線板２０は計器板１０にその裏面に沿い併設されている。回動内機３０の端子は配線板２０に半田付けされて電気接続されており、回動内機３０の指針軸３１は、配線板２０の貫通穴部２１、影用第２導光部材７０の貫通穴部７１を通り回動可能に延出している。
【００４３】
発光指針４０は、図１にて示すごとく、長手状の上側遮光性カバー４１および下側遮光性カバー４２内に、指針用回動導光部材４３およびバランサ４４を内包して構成されている。そして、指針用回動導光部材４３は、長手状指針部４３ａおよび光入射部４３ｂから構成されており、これらの指針部４３ａおよび光入射部４３ｂは、無色透明の導光樹脂材料により一体に形成されている。
【００４４】
また、下側遮光性カバー４２には、下方に延びるボス部４５およびボス部４５周りに延びる円筒部４６とが樹脂にて一体に形成されている。これらのボス部４５および円筒部４６は特許請求の範囲に記載のボス部に相当する。ボス部４５には指針軸３１が圧入され、これにより、発光指針４０はボス部４５にて指針軸３１の先端部に同軸的に支持される。指針部４３ａは、指針軸３１の回転により回動して目盛盤１０ａの目盛り部１１を指示する。
【００４５】
配線板２０の表面には、複数の影用光源９０および複数の指針用光源１００が、指針軸３１の周囲に沿い間隔をおいて円弧状に実装されている。影用光源９０は、指針用光源１００に対して指針４０の回動径方向の外側に配置されている。また、影用光源９０の発光色と指針用光源１００の発光色とを異なる色にしており、本実施形態では影用光源９０の発光色を青色とし、指針用光源１００の発光色を赤色としている。
【００４６】
指針用光源１００の上方には、指針用光源１００から指針用回動導光部材４３の光入射部４３ｂに向けて光を導く指針用固定導光部材５０が備えられている。指針用固定導光部材５０は複数の指針用光源１００の円弧状配置に対応した略円弧状に形成されている。
【００４７】
影用光源９０の上方には、影用光源９０から指針４０の円筒部４６下端４６ａに向けて光を導く影用第１導光部材６０が備えられている。影用第１導光部材６０は複数の影光源９０の円弧状配置に対応した略円弧状に形成されている。
【００４８】
図３は円筒部４６単体を示す斜視図であり、円筒部４６外周面のうち指針４０に対応する部分に凹部４６ｂを形成し、当該凹部４６ｂを回動反射面を構成する反射鏡として機能させている。本実施形態では、鏡面シートをホットスタンプにより凹部４６ｂに付着させることにより回動反射面４６ｂを構成している。
【００４９】
反射鏡４６ｂは、指針４０の回動方向（図３中の矢印Ａ方向）に反射率が徐変するように形成されており、回動方向Ａのうち指針部４３ａに対して低回転数側に配置されている。また、上記反射率は、低回転数側に近い部分ほど低い反射率となるように徐変するように形成されている。具体的には、反射鏡４６ｂには暗色系のドットが施されており、ドットが施される面積を徐変させることにより、反射率の徐変を形成している。
【００５０】
また、影用第１導光部材６０と指針用固定導光部材５０との間には、円筒形状の遮光部材１１０が設けられている。なお、指針用固定導光部材５０および影用第１導光部材６０は、遮光部材１１０および導光部材保持ケース８０により保持されている。各導光部材４３、５０、６０、７０は無色透明の導光樹脂材料により形成されている。
【００５１】
目盛盤１０ａの裏面側には、指針４０の回動範囲に対応した円弧形状の影用第２導光部材７０が設けられている。影用第２導光部材７０には、固定反射面７２が影用第２導光部材７０の円弧全体に亘って形成されている。
【００５２】
本実施形態では、固定反射面７２を凹凸形状に形成している。この凹凸形状は、固定反射面７２で反射される青色光が目盛盤１０ａに対して略垂直に出射面７４から出射するような形状であり、具体的には周知のフレネル形状が挙げられる。そして、このような凹凸形状を形成することにより、青色光の視認性を向上させることができる。また、影用第２導光部材７０の肉厚を変えることなく、後述する斜線領域αの半径方向長さを任意の長さに設定することができる。
【００５３】
ところで、影用光源９０から影用第２導光部材７０に入射される青色光は、回動反射面４６ｂで反射した青色光のみならず、他の経路にて入射されてしまう青色光も少なからず存在し、斜線領域α以外の領域からも青色光が乗員に向けて出射されてしまう可能性がある。そこで、本実施形態では、影用第２導光部材７０の下方に黒色のプレート１２０を設けることにより、上記他の経路にて入射された青色光が乗員に視認されにくくするようにしている。
【００５４】
次に、当該指針計器の電気回路構成につき図４を参照して説明すると、回転数センサ１３０は、当該車両のエンジンの回転数を検出する。制御回路１４０は、マイクロコンピュータを主たる構成素子として有するもので、この制御回路１４０は、当該車両のイグニッションスイッチＩＧを介しバッテリＢから給電されて、上記マイクロコンピュータによる演算処理のもと、回転数センサ１３０の検出出力に基づき回動内機３０を駆動制御し、各光源９０、１００を発光駆動制御する。ここで、各影用光源９０の発光駆動は、各指針用光源１００の発光駆動と同時となるように制御する。
【００５５】
以上のように構成した本実施形態において、イグニッションスイッチＩＧをオンすると、制御回路１４０は、バッテリＢから給電されて、そのマイクロコンピュータを作動させる。なお、当該車両のエンジンは、イグニッションスイッチＩＧのオンのもと作動状態におかれるものとする。
【００５６】
このような状態において、制御回路１４０は、そのマイクロコンピュータによる演算処理に伴い、回転数センサ１３０の検出出力に応じて、回動内機３０を駆動制御する。これに伴い、回動内機３０は指針軸３１を介し発光指針４０を回動させる。
【００５７】
また、制御回路１４０は、そのマイクロコンピュータによる演算処理に伴い、複数の影用光源９０及び複数の指針用光源１００を同時に発光駆動制御する。
【００５８】
ここで、制御回路１４０による影用光源９０の発光駆動制御は、発光指針４０が図２にて図示時計方向（即ち、発光指針４０による指示値の増大方向）へ回動するときにのみなされる。
【００５９】
そして、影用光源９０にて発せられた青色光は影用第１導光部材６０の下端面６０ａから入射して上端面６０ｂから出射する。上端面６０ｂのうち回動反射面４６ｂに対向する部分から出射された青色光は、回動反射面４６ｂで反射して目盛盤１０ａの裏面に沿って進む。その後、影用第２導光部材７０内周端面７３から入射してフレネル形状に形成された固定反射面７２にて反射される。なお、当該フレネル形状は、目盛盤１０ａに対して略垂直に青色光を反射するように形成されている。固定反射面７２にて反射された青色光は、目盛盤１０ａの透過部１０ｄを透過して車両乗員に視認されることとなる。
【００６０】
ここで、回動反射面４６ｂは、円筒部４６外周面全周に亘って形成されているわけではなく、円筒部４６外周面のうち指針部４３ａよりも最小目盛り側の部分にのみ形成されている。従って、影用光源９０から回動反射面４６ｂを介して影用第２導光部材７０へ入射されるその入射範囲は、貫通穴部７１端面のうち回動反射面４６ｂに対向する部分のみであり、この部分からの青色光入射により、固定反射面７２のうち図２中の実線で示す斜線領域αのみから出射される。
【００６１】
そして、回動反射面４６ｂは、発光指針４０とともに回動するため、影用第２導光部材７０の貫通穴部７１端面への青色光入射位置は回動することとなり、これにより、影用第２導光部材７０から青色光を出射する上記斜線領域αは、発光指針４０の回動とともに回動することとなり、ひいては、青色光を指針４０の影として乗員に視認させることができる。
【００６２】
なお、上述のように光入射部４３ｂがボス部４５外周面のうち指針部４３ａよりも最小目盛り側の部分に形成されていることから、斜線領域αは、固定反射面７２のうち指針部４３ａに対向する位置から目盛り部１１の最小目盛り側にかけての所定領域となる。
【００６３】
そして、回動反射面４６ｂは指針４０の回動方向に反射率が徐変するように形成されており、指針部４３ａに近い位置であるほど反射率が高くなるように形成されているので、斜線領域αに示す影のうち指針部４３ａに近い部分であるほど明るい青色で影が表示され、指針部４３ａから遠離るほど暗い青色で影が表示されるので、指針４０の回動方向に明るさが変化するグラデーション状に影が表示される。
【００６４】
因みに、本実施形態では、透過部１０ｄは指針部４３ａの長手方向（回動径方向）全体に亘って形成されておらず、上記回動径方向の一部分に透過部１０ｄは形成されているので、影は回動方向に延びる帯状に視認されることとなる。
【００６５】
一方、指針用光源１００にて発せられた赤色光は、指針用固定導光部材５０の下端面５０ａから入射して上端面５０ｂから出射する。上端面５０ｂのうち光入射部４３ｂに対向する部分から出射された赤色光は、光入射部４３ｂの下端面から指針用回動導光部材４３内に入射し、指針用回動導光部材４３に設けられた指針用反射面４３ｃにて指針４０の先端に向けて反射される。指針用回動導光部材４３内に入射した赤色光は、指針部４３ａの表面から上側遮光性カバー４１のスリット４１ａ（図２参照）を通り出射する。これにより、発光指針４０は、スリット４１ａにて発光する。
【００６６】
なお、図１、図２および図４では図示していないが、配線板２０には各光源９０、１００とは別の目盛盤用光源が備えられており、当該目盛盤用光源の発光により、透過部１０ｃの裏面側から表面側に向けて光を透過させて、各目盛り及び各目盛り値を表示させている。
【００６７】
以上説明したように、本実施形態によれば、回動反射面４６ｂを反射鏡４６ｂにより構成し、反射鏡４６ｂを、指針４０の回動方向に反射率が徐変するように形成することにより、指針４０の影をグラデーション状に表示させるので、光を拡散させる度合を変化させてグラデーション状に表示させる指針計器に比べて、グラデーションの明暗差を大きくでき、鮮明な明暗差のグラデーションで指針４０の影を表示できる。
【００６８】
また、影用光源９０を、指針用光源１００に対して指針４０の回動径方向の外側に配置しているので、目盛盤１０ａの裏面側に沿う経路を有し、影用光源９０から固定反射面７２に至るまでの光路Ｃ２と、目盛盤１０ａの裏面側から表面側に貫通した経路を有し、指針用光源１００から指針用回動導光部材４３に至るまでの光路Ｃ１とが交差してしまうことなく、両光路Ｃ１、Ｃ２を構成できる。よって、指針用光源１００からの光と影用光源９０からの光とが互いに干渉してしまうことを抑制できる。
【００６９】
しかも、本実施形態では、影用第１導光部材６０と指針用固定導光部材５０との間に遮光部材１１０を設けているので、指針用光源１００からの光と影用光源９０からの光との干渉をより一層抑制できる。
【００７０】
また、本実施形態の円筒部４６は指針用固定導光部材５０の外周面を覆うように形成されているので、指針用固定導光部材５０から漏れ出る光が影用第２導光部材７０に入射されてしまうことを抑制でき、好適である。また、本実施形態の導光部材保持ケース８０は影用第２導光部材７０の外周面を覆うように形成されているので、影用第２導光部材７０から漏れ出る光が透過部１０ｃに入射されてしまうことを抑制でき、好適である。
【００７１】
（他の実施形態）
上記実施形態では固定反射面７２を凹凸形状に形成しているが、本発明の実施にあたり、上記凹凸形状に替えて、固定反射面７２に、周知の白色印刷、ミラー印刷、クリアパール印刷、ブルーパール印刷等の高反射系の印刷や塗装を施すようにしてもよく、これにより、青色光の輝度を向上させることができ、好適である。
【００７２】
また、本発明の実施にあたり、上記実施形態における影用第２導光部材７０を廃止して、導光部材保持ケース８０に固定反射面７２を形成するようにしてもよい。また、上記実施形態における指針用固定導光部材５０および影用第１導光部材６０の少なくとも一方を廃止してもよい。また、上記実施形態における遮光部材１１０を廃止してもよい。
【００７３】
また、本発明の実施にあたり、各影用光源９０は青色で発光する発光ダイオードに限ることなく、例えば、緑色や橙色等の指針用光源１００の発光色と異なる色で発光する発光ダイオードであってもよい。また、各指針用光源１００は、赤色で発光する発光ダイオードに限ることなく、橙色、白色その他の色で発光する発光ダイオードであってもよい。
【００７４】
また、各指針用光源１００は、各影用光源９０と異なる色で発光するものに限らず、当該各影用光源９０と同一の色で発光するものでもよい。そして、影用光源９０および指針用光源１００のうちいずれか一方の光源を他方の光源に兼ねさせるようにしてもよい。
【００７５】
また、上記実施形態では、各影用光源９０と各指針用光源１００とを同時に発光させるように制御する例について説明したが、これに限ることなく、各影用光源９０を、所定時間（例えば、０．５秒）だけ、各指針用光源１００に対し、遅延して或いは先行して発光開始させるように制御してもよい。また、各光源９０、１００として発光ダイオードに代えて、例えば、ランプを採用してもよい。
【００７６】
また、目盛盤１０ａを表面側から覆う、スモーク材からなるカバーを設けるようにすれば、スモーク印刷部１０ｂと透過部１０ｄとの境界線をカバーで目隠しすることができ、前記境界線が運転者に視認されてしまうことによって車両用指針計器の見栄えが損なわれてしまうことを抑制できる。
【００７７】
また、本発明の指針計器は、タコメータとしての計器に限ることなく、スピードメータその他のメータとしての計器であってもよい。
【図面の簡単な説明】
【図１】本発明の一実施形態に係る車両用指針計器を示す断面図である。
【図２】図１の指針計器を表面側から見た正面図である。
【図３】図１のボス部単体を示す斜視図である。
【図４】図１の指針計器のブロック回路図である。
【図５】先願の指針計器を示す断面図である。
【符号の説明】
１０ａ…目盛盤、１１…目盛り部、４０…指針、４６ｂ…反射鏡、
９０…影用光源。
【図１】
0003680828.tif 000002
【図２】
0003680828.tif 000003
【図３】
0003680828.tif 000004
【図４】
0003680828.tif 000005
【図５】
0003680828.tif 000006